(57)【特許請求の範囲】
【請求項１】
ワーク端面に一定のねじれ方向で多数のスリットが設けられているワークを回転し、この回転するワーク端面にブラシを当接させて、該スリット内に入り込んだ切屑を除去するワークの切屑除去装置において、
前記ブラシを回転させる軸の軸心と前記ワークの軸心とは直交していて、前記ブラシが、前記ワークの軸心を挟んで左右に一対、同軸に設けられ、該一対のブラシを同方向に回転させて、回転する前記ワーク端面に当接させており、
該一対のブラシのうち一方の前記ブラシは、右ねじれ方向のスリットに沿った方向に回転することで、該右ねじれ方向のスリット内の切屑を除去し、他方の前記ブラシは、左ねじれ方向のスリットに沿った方向に回転することで、該左ねじれ方向のスリット内の切屑を除去することによって、該スリットのねじれ方向に関係なく、スリット形成時に該スリット内に入り込んだ切屑を掻き出すことができるようにしたことを特徴とするワークの切屑除去装置。
【請求項２】
前記一対のブラシを前記ワークの軸心よりオフセットさせて配置することを特徴とする請求項１に記載のワークの切屑除去装置。
【発明の詳細な説明】
【０００１】
【発明の属する技術分野】
本発明は、ワークの端面に一定のねじれ方向でスリットが設けられたワークの切屑除去装置に関する。
【０００２】
【従来の技術】
ワークの端面にスリットがあり、そのスリットのねじれ方向が機種によって左右ある製品を加工した後に発生するバリ、及びスリット内に入り込む切屑を除去するためには、スリットに沿ってブラシを当てる必要があるため、従来のこの種のワークの切屑除去装置においては、除去前にスリットのねじれ方向を検知する左右判別ユニットと、左右のねじれ方向によってそれぞれ専用のブラッシング装置を必要としていた。そのため、この従来の切屑除去装置は、設置スペースの増大と高価であるという問題を抱えていた。
【０００３】
【発明が解決しようとする課題】
本発明は、上記の問題に鑑み、ワーク端面のスリットのねじれ方向が異なる製品でもスリットに方向性がある点に着目したものであり、その目的は、スリットの左右のねじれ方向を判別する必要なしに、かつ簡単な構造で、スリットの形成時に発生するバリの除去及びスリット内に入り込んだ切屑を除去することができるワークの切屑除去装置を提供することである。
【０００４】
【課題を解決するための手段】
本発明は、前記課題を解決するための手段として、特許請求の範囲の各請求項に記載のワークの切屑除去装置を提供する。
請求項１に記載のワークの切屑除去装置は、ブラシを回転させる軸の軸心とワークの軸心とが直交していると共に、一定のねじれ方向で多数のスリットが形成されているワークの端面に当接させて切屑の除去を行うブラシを、ワークの軸心を挟んで左右に一対、同軸に設けて、この一対のブラシを同方向に回転させて、回転するワーク端面に当接させており、一対のブラシのうち一方のブラシを、右ねじれ方向のスリットに沿った方向に回転させることで、右ねじれ方向のスリット内の切屑を除去し、他方のブラシを左ねじれ方向のスリットに沿った方向に回転させることで、左ねじれ方向のスリット内の切屑を除去することによって、スリットのねじれ方向に関係なく、スリット形成時にスリット内に入り込んだ切屑を掻き出すことができるようにしたものである。したがって、スリットのねじれ方向を検知する判別ユニットを設ける必要がない。また、ねじれ方向に応じて、左、右でそれぞれ専用のブラッシング装置を設ける必要もない。更に切屑のみならず、スリットの形成時に発生するバリも取り除くことができる。
【０００５】
請求項２の該切屑除去装置は、一対のブラシをワークの軸心よりもオフセットさせて配置させたものであり、これによって、ブラシが一層効率良く切屑をスリットに沿って掻き出すことができる。また、バリの除去においても、ブラシがスリットに直角に当たりバリを有効に取り除くことができる。
【０００６】
【発明の実施の形態】
以下、図面に基づいて本発明の実施の形態のワークの切屑除去装置について説明する。図１は、本発明のワークの切屑除去装置の、（ａ）正面図、（ｂ）側面図、であり、図２は、切屑除去作業の対象品であるワークを示しており、（ａ）はスリットが左ねじれ方向であるワークを、（ｂ）はスリットが右ねじれ方向であるワークを、それぞれ示している。図３は、本発明のワークの切屑除去装置の切屑除去作業を説明する図である。
【０００７】
本発明のワークの切屑除去装置は、回転する軸４に一対のブラシ６ａ，６ｂが間隔をあけて取り付けられている。ワーク１は、図２に示されるように、その端面１ａに一定の方向でねじれた多数のスリット２が形成されており、そのスリット２のねじれ方向は、（ａ）の左ねじれであっても、（ｂ）の右ねじれであってもよい。このワーク１の対象製品としては、例えば、スタータの構成部品の一つであるアーマチャが考えられ、アーマチャに電気を導く面（整流子面）がワーク端面に相当する。整流子面はコイルを一定間隔に保ちながら組み付けられており、そのコイル間がスリットとなる。コイルはアーマチャのタイプ（左回転用と右回転用)に合わせてそれぞれ、左右にねじれており、それに合わせてスリットが左ねじれ又は右ねじれで形成されている。
【０００８】
切屑除去作業においては、ワーク１が支持台３に回転自在にその両端で支持される。ワーク１の外周が、例えば駆動ローラ５に当接することによってワーク１は回転するようになっている。ワーク１を回転させる手段として、駆動ローラ５に代えて他の駆動手段も採用可能なものである。
一対のブラシ６ａ，６ｂは、ワーク１の軸心１Ａを通る面に対して左右に間隔をあけて配置され、それぞれワーク１の端面１ａに切屑除去作業中にあっては、当接するようになっている。また、ブラシ６ａ，６ｂは、一緒に同方向に回転する。
また、好ましくは、一対のブラシ６ａ，６ｂは、ワーク１の軸心１Ａより所定の距離でオフセットされている。即ち、ブラシ６ａ，６ｂを回転させる軸４の軸心４Ａと、この軸心４Ａと直交するワーク１の軸心１Ａとは、オフセットの関係にある。なお、ブラシ６ａ，６ｂは、ワーク１の端面１ａに当接する位置と、当接しない退避位置との間で図示しない機構により移動可能に構成されている。
【０００９】
次に、本発明のワークの切屑除去装置の作動について、図１及び図３に基づいて説明する。
支持台３に支持されたワーク１は、駆動ローラ５によって回転する。次いで軸４が回転し、これに固定された一対のブラシ６ａ，６ｂが回転する。ブラシ６ａ，６ｂを回転しながらワーク１の端面１ａに押し当てることにより、ワーク１のスリット２内に入り込んだ切屑を掻き出すことができると同時に、スリットの形成時に発生するバリを除去することができる。即ち、スリット２内の切屑を除去するには、スリット２に沿ってブラシ６ａ，６ｂを回転させ掻き出す必要があり、バリに対してはスリット２に直角にブラシ６ａ，６ｂを当てる必要がある。そこで、図３に示すように、右ねじれ方向のスリット２の場合、ワーク１の中心に対し左右にブラシ６ａ，６ｂを設けてワーク１の端面１ａに押し当てながら、ブラシを同方向に回転させると、右側のブラシ６ａで切屑除去が行え、左側のブラシ６ｂでバリ取りを行うことができる。左ねじれ方向のスリットの場合は、この逆の作用が行われる。
【００１０】
このように、ブラシをワークの軸心よりオフセットさせ、また、軸にブラシを２個取り付けて同方向に回転させることで、スリットのねじれ方向に関係なく切屑を除去することが可能である。また、同時にスリットに発生するバリを除去することもできる。
なお、切屑は、ワークの端面の寸法精度、面粗さ、平面度を保証するために、端面を切削除去する際に生じ、これがスリット内に入り込むものであり、また、バリはスリットを形成する際に、その縁に生じるものである。
【図面の簡単な説明】
【図１】本発明の実施の形態のワークの切屑除去装置の、（ａ）正面図と（ｂ）側面図である。
【図２】切屑除去作業の対象品であるワークを示しており、（ａ）はスリットが左ねじれ方向であるワークを、（ｂ）はスリットが右ねじ方向であるワークを説明する図である。
【図３】本発明のワークの切屑除去装置の切屑除去作業の作用を説明する図である。
【符号の説明】
１…ワーク
１ａ…端面
１Ａ…ワークの軸心
２…スリット
３…支持台
４…軸
４Ａ…軸心
５…駆動ローラ
６ａ，６ｂ…ブラシ
【図１】
0004736263.tif 000002
【図２】
0004736263.tif 000003
【図３】
0004736263.tif 000004